(57)【特許請求の範囲】
【請求項１】
柄（２）の先端部に、鋸刃（３）を保持する背金（４）、あるいは鋸刃を回動自在の状態で取り付けるとともに、背金（４）、あるいは鋸刃の後方部を支持する支持具（５）を配置し、支持具（５）における移動子（８）の移動操作により、柄（２）に対する背金（４）、あるいは鋸刃の配置角度を調整し得るように構成したものであって、柄（２）は、先端部に背金（４）、あるいは鋸刃を差し入れ得る幅の縦溝（６）を形成するとともに、上方部には、支持具（５）を組み込むための凹部（１０）が形成されており、また、側部には、背金（４）、あるいは鋸刃を取り付けるためのボルトを差し入れる孔（１１）、並びに支持具（５）を取り付けるためのボルトを差し入れる孔（１２）（１２）が形成されており、支持具（５）は、上方部に移動子（８）を挿通させる筒状部（１６）を有し、下方部に柄（２）への取り付け部（１７）を有する保持具（７）と、外周部に螺子を形成した移動子（８）とをもって構成されており、筒状部（１６）の中程位置には、移動子（８）に螺合させるナットをもって構成される操作具（９）を嵌装させる切り欠き部（１８）を形成するとともに、筒状体（１６）の基部には、移動子（８）に形成した平打状の突起（１９）を前後方向に通過させ得る形の間隙部（２０）が形成されているものであることを特徴とする鋸柄の構造。
【発明の詳細な説明】
【０００１】
【発明が属する技術分野】
この発明は、鋸の柄の改良に関するものである。
【０００２】
【従来の技術】
樹木の剪定等に際しては、携行時や非使用時の安全性を図るために、鋸刃を柄側に折り畳めるように構成したものが使用される場合が多いのであるが、従来一般的に使用されているこのような折り込み鋸は、鋸刃を出した場合、鋸刃の後端部が鋸柄の切り込み部に当接した状態となって固定される構成となっているのが普通である。
【０００３】
【発明が解決しようとする課題】
【０００４】
樹木の剪定作業等を行なうような場合、切断しようとする枝の位置によって鋸刃の角度を変えれば、作業者が楽な姿勢で効率よく作業を行なえるし、また、鋸刃の切れ味が落ちたような場合には、鋸刃をやや屈曲させて切り込み角をつけることによって鋸刃の切断能力を向上させ、作業者への負担を軽減させることになるのであるが、従来の鋸にみられたように、使用時における鋸刃の固定を、鋸刃の後端部を柄の切り込み部に当接させることによって行なう構成とした場合、柄に対する鋸刃の配置角度は絶えず一定となり、使い勝手が悪く、作業者への負担を大きくすることになるのである。
【０００５】
この発明は、鋸刃を柄側に折り畳めるように構成した折り込み鋸にあって、使用時における鋸刃の配置角度を変化させ得るようにすることによって、従来のものにみられた使い勝手の悪さを解消しようとするものである。
【０００６】
【課題を解決するための手段】
この発明は、鋸刃を柄側に折り込めるように形成した鋸にあって、柄の先端部に、鋸刃を保持する背金、あるいは鋸刃自体を回動自在の状態で取り付けるとともに、背金、あるいは鋸刃の後方部を支持する支持具を配置し、支持具における移動子の移動操作により、柄に対する背金、あるいは鋸刃の配置角度を任意に調整し得るように形成した構成となっているのである。
【０００７】
【実施例】
図面にもとづいて、この発明の実施例を説明すると、鋸柄本体１は、図１ないし図５に示すとりお、柄２、鋸刃３を保持する背金４、前後方向に移動調整可能な移動子８を有する支持具５とからなり、柄２の先端部に背金４を回動自在の状態にして取り付けるとともに、背金４の後端側に移動子８の先端部が当接した状態となるようにして支持具５を取り付けた構成となっているのである。
【０００８】
すなわち、柄２は、図５に示すとおり、先端部に背金４を差し入れ得る幅の縦溝６を形成するとともに、上方部には、支持具５を組み込むための凹部１０が形成されており、また、側部には、背金４を取り付けるためのボルトを差し入れる孔１１、並びに支持具５を取り付けるためのボルトを差し入れる孔１２・１２が形成された構成となっているのである。
【０００９】
背金４は、図１ないし図５に示すとおり、金属板を中央部より屈曲させ、その内側部に鋸刃の基部を差し入れることによって鋸刃３を保持し得る構成となっており、先端部の中程位置に鋸刃３を固定するための孔１４が、また、後方下方位置には、柄２に対して回動自在の状態として取り付けるための孔１５が形成された構成となっているのである。
【００１０】
支持具５は、上方部に移動子８を挿通させる筒状部１６を有し、下方部に柄への取り付け部１７を有する保持具７と、外周部に螺子を形成した移動子８とをもって構成されており、筒状部１６の中程位置には、移動子８に螺合させるナットをもって構成される操作具９・９を嵌装させる切り欠き部１８を形成するとともに、筒状部１６の基部には、移動子８に形成した平打状の突起１９を前後方向に通過させ得る形の間隙部２０を形成した構成となっており、保持具７への移動子８の組み込みに際しては、保持具７に形成した切り欠き部１８に操作具９・９を嵌装させた後、筒状部１６の後方部から移動子８を差し入れ、移動子８の螺子部を操作具９の螺子孔２１に螺合させるとともに、突起１９が間隙部２０に嵌入した状態にすることによって行なわれるのである。
【００１１】
支持具５は上記のような構成であって、柄２への取り付けに際しては、まず、先端部に形成した孔２２と、背金４に形成した孔１５とが一致した状態となるようにして背金４を配置させた後、筒状部１４が柄２の凹部１０に、また、背金４が柄２の縦溝６に収まった状態となるようにするとともに、取り付け部１７の孔２３・２３が柄２に形成した孔１２・１２に、また、取り付け部１９の孔２２が柄２に形成した孔１１にそれぞれ一致した状態となるようにしてボルト２５・・を挿通した後、その先端部にナット２４を螺合させることによって行なわれるのである。
【００１２】
従って、背金４は、柄２に対して回動自在の状態となるとともに、支持具５における移動子８の先端部が背金４の後端部に当接することによって固定され、移動子８の送り込み度合いによって、柄２に対する背金４の配置固定角度を変化させことが可能になっているのである。
【００１３】
上記は、背金４によって鋸刃１３を保持するようにした鋸柄での実施例をであるが、柄に対して鋸刃自体を回動自在の状態として取り付け、支持具における移動子を鋸刃の上方後端部に当接させ、それによって、柄に対する鋸刃の角度を調整し得る構成とすることも可能である。
【００１４】
【発明の効果】
この発明にかかる鋸柄は、上記のような構成であって、使用状況に応じて鋸刃の配置固定角度を適当に変化させ、それにより、楽な姿勢で効率良く切断作業を行ない得るという利点があるのである。
【００１５】
すなわち、樹木の剪定作業等を行なうような場合、切断しようとする枝の位置によって鋸刃の固定角度を変えれば、作業者が楽な姿勢で効率よく作業を行なえるし、また、鋸刃の切れ味が落ちたような場合には、鋸刃をやや屈曲させて切り込み角をつけることによって、鋸刃の切断能力を向上させ、作業者への負担を軽減できるのであるが、この発明にかかる鋸柄にあっては、使用時における鋸刃の固定角度を任意に設定することができ、それにより、楽な姿勢で効率良く切断作業を行ない得るという利点があるのである。
【図面の簡単な説明】
【図１】鋸柄に鋸刃を装着した状態を示す側面図である。
【図２】鋸柄に対する鋸刃の配置角度を変更した状態を示す側面図である。
【図３】支持具の取り付け状態を示す斜視図である。
【図４】支持具の構成部材を示す分解斜視図である。
【図５】鋸柄の各構成部材の構成を示す分解斜視図である。
【符号の説明】
１    鋸柄本体
２    柄
３    鋸刃
４    背金
５    支持具
８    移動子
【図１】
0004788985.tif 000002
【図２】
0004788985.tif 000003
【図３】
0004788985.tif 000004
【図４】
0004788985.tif 000005
【図５】
0004788985.tif 000006